(57)【特許請求の範囲】
【請求項１】
複数のレーンを使用して車輌のせりを行なう車輌のせり装置において、
少なくとも一度せりに出品した車輌の出品店であるか判断する判断部と、
一度もせりに前記車輌を出品したことがない出品店である場合、前記複数のレーンの中の車輌が登録されていないレーンに該出品店が出品する車輌を登録する第１の登録部と、
前記複数のレーンの全てに車輌が登録されている場合、最も少ない台数の車輌が登録されたレーンに前記出品店が出品する車輌を登録する第２の登録部と、
少なくとも一度せりに出品した車輌の出品店である場合、前記車輌を登録したレーンに前記出品店の車輌を登録する第３の登録部と、
前記第１乃至第３の登録部によって登録された各レーンにおいて、該レーンに登録された前記車輌のせりを行うせり制御部と、
を備えることを特徴とする車輌のせり装置。
【請求項２】
前記車輌を撮像する撮像部を備え、前記レーンに登録された前記車輌のせりを行う際、前記撮像部によって撮像した画像を表示部に表示することを特徴とする請求項１に記載の車輌のせり装置。
【請求項３】
前記判断部による判断は、前記車輌を撮像する際、該車輌の出品店の情報を入力部から入力し、前記第１又は第２の登録部によって登録された情報と比較することによって行うことを特徴とする請求項１、又は２に記載の車輌のせり装置。
【請求項４】
前記第１乃至第３の登録部による前記レーンへの前記車輌の登録は、前記レーンに設定された出品番号を取得し、該出品番号に対応して前記車輌の情報を登録することを特徴とする請求項１、２、又は３に記載の車輌のせり装置。
【請求項５】
複数のレーンを使用して車輌のせりを行なう車輌のせり方法において、
少なくとも一度せりに出品した車輌の出品店であるか判断する判断処理と、
一度もせりに前記車輌を出品したことがない出品店である場合、前記複数のレーンの中の車輌が登録されていないレーンに該出品店が出品する車輌を登録する第１の登録処理と、
前記複数のレーンの全てに車輌が登録がされている場合、最も少ない台数の車輌が登録されたレーンに前記出品店が出品する車輌を登録する第２の登録処理と、
少なくとも一度せりに出品した車輌の出品店である場合、前記車輌を登録したレーンに前記出品店の車輌を登録する第３の登録処理と、
前記第１乃至第３の登録処理によって登録された各レーンにおいて、該レーンに登録された前記車輌のせりを行うせり処理と、
を行うことを特徴とする車輌のせり方法。
【請求項６】
複数のレーンを使用して車輌のせりを行なうプログラムであって、
少なくとも一度せりに出品した車輌の出品店であるか判断する判断処理と、
一度もせりに前記車輌を出品したことがない出品店である場合、前記複数のレーンの中の車輌が登録されていないレーンに該出品店が出品する車輌を登録する第１の登録処理と、
前記複数のレーンの全てに車輌が登録されている場合、最も少ない台数の車輌が登録されたレーンに前記出品店が出品する車輌を登録する第２の登録処理と、
少なくとも一度せりに出品した車輌の出品店である場合、前記車輌を登録したレーンに前記出品店の車輌を登録する第３の登録処理と、
前記第１乃至第３の登録処理によって登録された各レーンにおいて、該レーンに登録された前記車輌のせりを行うせり処理と、
をコンピュータに実行させることを特徴とするプログラム。
【発明の詳細な説明】
【技術分野】
【０００１】
本発明はオークション市場における車輌、例えば中古車輌のせりを行なう車輌のせり装置に関する。
【背景技術】
【０００２】
今日、インターネット等のコンピュータネットワークの発達によって、オークションを利用した車輌の販売が広く行なわれている。例えば、図１１は従来の中古車輌のオークション（せり）方法を説明する図である。
【０００３】
同図に示す車輌Ａ、車輌Ｂ、車輌Ｃ、・・車輌ＺＺはオークションに出品される中古車輌の順番を示し、上記車輌を順次撮影室３０に搬入し、車両の撮影３１を行なう。その後、撮影が終了した中古車輌に出品番号が割り当てられる。したがって、車輌Ａ、車輌Ｂ、車輌Ｃ、・・車輌ＺＺには、同図の表３２に示す出品番号が順次割り当てられる。
【０００４】
その後、同図に示す２つのレーン（ＡレーンとＢレーン）を備えるオークション会場において、上記出品番号に従って、ＡレーンとＢレーンに交互に出品車両が振り分けられ、せりが行なわれる。したがって、従来のオークションでは、出品車両はＡレーンとＢレーンに交互に振り分けられ、Ａレーンにおいて出品番号が奇数の車両Ａ、車両Ｃ、・・のせり行なわれ、Ｂレーンにおいて出品番号が偶数の車両Ｂ、車両Ｄ、・・のせりが行なわれる。
【０００５】
尚、特許文献１は車両のオークションを実行するオークション会場と、車両の落札や販売を行なう加盟店、オークション情報を管理する情報統合管理会社、一般ユーザ、販売店、及び車両の在庫を管理する在庫管理会社を備える車両情報統合システムの発明を開示する。
【０００６】
また、特許文献２はある商品を第１の表示装置に表示し、次の商品を第２の表示装置に表示し、第１の表示装置に表示している商品と第２の表示装置に表示している商品とを交互にオークション対象とするマルチレーン方式のオークション方法を開示する。
【先行技術文献】
【特許文献】
【０００７】
【特許文献１】特開２００６−１３９５６２号公報
【特許文献２】特開２００２−３３４２３３号公報
【発明の概要】
【発明が解決しようとする課題】
【０００８】
従来のオークション方法では、上記のように出品車輌をＡレーンとＢレーンに交互に振り分け、Ａレーンにおいて出品番号が奇数の車輌のせり行ない、Ｂレーンにおいて出品番号が偶数の車輌のせりを行っている。したがって、この場合、車輌の出品店を考慮することなく、出品車輌を２つのレーンに振り分け、せりを行なっている。
【０００９】
しかし、同じ出品店の車輌がＡレーンとＢレーンに振り分けられた場合、両レーンで同時に行なわれているせりに出品店の担当者を立ち会わせなければならない。したがって、例えば出品店の担当者が１人であれば、一方のレーンの出品車両が落札されるまで、他方のレーンのせりを開始することができない。また、出品店の担当者が２人以上であっても、オークションで使用されるレーンが多数、例えば１０レーンを超えるような場合、対応することはできない。
【００１０】
そこで、本発明は上記課題を解決する為、同じ出品店の車輌が同時に複数ラインに出品されることがないように出品車輌を振り分け、車輌のせりを効率よく行なう車輌のせり装置を提供するものである。
【課題を解決するための手段】
【００１１】
複数のレーンを使用して車輌のせりを行なう車輌のせり装置において、少なくとも一度せりに出品した車輌の出品店であるか判断し、一度もせりに車輌を出品したことがない出品店である場合、上記複数レーンの中で、車輌が登録されていないレーンに該出品店が出品する車輌を登録し、上記複数レーンの全てに車輌が登録されている場合、最も少ない台数の車輌が登録されたレーンに該出品店が出品する車輌を登録し、少なくとも一度せりに出品した車輌の出品店である場合、当該車輌を登録したレーンに、以後同じ出品店からの出品車輌の登録を行い、各レーンに登録された車輌のせりを行うことによって、同じ出品店から出品された車輌が同時に複数ラインに出品されることがなく、せりを効率よく行うことができる。
【００１２】
このように構成することにより、複数のレーンを使用して車輌のせりを行なう車輌のせり装置において、せりのトータル時間を短縮することができる。
【００１３】
また、上記車輌を撮像する撮像部によって車輌の撮影を行い、レーンに登録された車輌のせりを行う際、撮影した画像を表示部に表示し、せりを有効に進めることができる。
【００１４】
さらに、上記レーンへの車輌の登録は、レーンに設定された出品番号を取得し、該出品番号に基づいて上記車輌の情報を登録することによって、より効率よく車輌のせりを行なうことができる。
【発明の効果】
【００１５】
本発明によれば、同じ出品店の車輌が同時に複数レーンに出品されることがないように出品車輌を振り分けることによって、車輌のせりを効率よく行ない、オークションに要するトータル時間を短縮することができる。
【図面の簡単な説明】
【００１６】
【図１】本実施形態の車輌のせり装置に使用されるシステムの全体構成図である。
【図２】撮影スタジオの詳しい構成を示す図である。
【図３】出品情報テーブルのデータ構成を示す図である。
【図４】出品店出品状況テーブルのデータ構成を示す図である。
【図５】出品台数テーブルのデータ構成を示す図である。
【図６】本実施形態の処理を説明するフローチャートである。
【図７】出品番号登録処理を説明するフローチャートである。
【図８】１台目〜１８台目までの車輌の搬入に対する出品情報テーブル、出品店出品状況テーブル、及び出品台数テーブルに登録されるデータの推移を示す図である。
【図９】１９台目〜４８台目までの車輌の搬入に対する出品情報テーブル、出品店出品状況テーブル、及び出品台数テーブルに登録されるデータの推移を示す図である。
【図１０】４９台目〜７０台目までの車輌の搬入に対する出品情報テーブル、出品店出品状況テーブル、及び出品台数テーブルに登録されるデータの推移を示す図である。
【図１１】従来の中古車輌のオークション（せり）方法を説明する図である。
【発明を実施するための形態】
【００１７】
以下、本発明の実施の形態について、図面を参照しながら説明する。
図１は本実施形態の車輌のせり装置に使用されるシステムの全体構成図である。同図において、本システムは、撮影スタジオ１、データベースサーバ２、ファイルサーバ３、及びせり会場４で構成されている。撮影スタジオ１は出品車両５の撮影を行なう設備であり、カメラ６や、撮像端末７、及び後述する表示装置を備える。
【００１８】
データベースサーバ２は出品車輌の出品店の情報や、出品車両の年式、メーカ、車種等の情報を記憶するデータベース（ＤＢ）を備え、ファイルサーバ３は上記カメラ６で撮影した出品車輌の画像情報を記憶する車輌画像ファイルを備える。
【００１９】
せり会場４は出品車輌のせりを行なうオークション会場であり、後述する処理によって出品番号を取得した車輌のせりが行なわれる。せり会場４には、調整人操作端末８−１〜８−１０、画像表示装置９−１〜９−１０、せり制御装置１０、管理用端末１１、及び応札端末１２−１〜１２−ｎが設けられている。本例のせり会場４は、１０レーン（レーン１〜レーン１０）のせりを行なうラインを備えており、上記調整人操作端末８−１〜８−１０は対応するレーンの操作を行なう。例えば、担当するレーンのせりの開始や落札の決定等の操作を行なう。また、画像表示装置９−１〜９−１０も対応するレーンにおいて、せりの対象となる車輌の画像を表示する。
【００２０】
応札端末１２−１〜１２−ｎは、せりに参加する企業の担当者や個人が応札指示を行なう端末装置である。また、せり制御装置１０は、せりのスタート価格から、上記応札端末１２−１〜１２−ｎから入力する価格、所謂せり上がり価格を判断し、落札に至るまでの制御を行なう。尚、管理用端末１１は、例えばせり会場４の設備管理等を行なう。
【００２１】
図２は上記撮影スタジオ１の詳しい構成を示す図である。前述のように、撮影スタジオ１にはカメラ６や撮影端末７が備えられており、更にキーボード等の入力装置１４や、表示装置（モニタ）１５が備えられている。カメラ６は本例において３台設置され、例えばカメラ６ａは出品車輌の前方からの画像を撮影し、カメラ６ｂは出品車輌の側方からの画像を撮影し、カメラ６ｃは出品車輌の後方からの画像を撮影する。
【００２２】
入力装置１４は出品車輌の出品店の情報を入力する装置であり、上記カメラ６ａ〜６ｃによって撮影されている出品車輌の出品店の情報を入力する。また、表示装置１５にはカメラ６ａ〜６ｃによって撮影された画像データがモニタ表示される。
【００２３】
撮影端末７には、カメラ制御部１７、入力制御部１８、画像登録制御部１９、出品番号登録制御部２０、表示制御部２１、及び通信制御部２２で構成されている。カメラ制御部１７は上記カメラ６の制御を行い、３台のカメラ６ａ〜６ｃに対応してカメラ制御部１７ａ〜１７ｃを備え、各カメラ制御部１７ａ〜１７ｃは対応するカメラ６ａ〜６ｃの制御を行う。
【００２４】
３台のカメラ６ａ〜６ｃで撮影された出品車両の前方、側方、後方からの画像データは、対応するカメラ制御部１７ａ〜１７ｃを介して画像登録制御部１９に送信され、車輌画像ファイルとし通信制御部２２を介してファイルサーバ３に登録される。
【００２５】
また、表示制御部２１は前述の表示装置１５の制御を行い、上記画像登録制御部１９に送信された画像データに基づいて、表示装置１５に３台のカメラ６ａ〜６ｃで撮影した画像を表示する。
【００２６】
入力制御部１８は上記入力装置１４の制御を行い、例えば入力装置１４からのキー操作信号を画像登録制御部１９及び出品番号登録制御部２０に送信する。前述のように入力装置１４からはオペレータの操作によって車輌の出品店の情報が入力し、入力制御部１９を介して出品店の情報が出品番号登録制御部２０に送信される。出品番号登録制御部２０は上記出品店の情報に基づいて出品番号を取得し、取得した出品番号の登録を行なう。尚、この出品番号登録制御部２０の具体的な処理については後述する。
【００２７】
図３乃至図５は上記データベース（ＤＢ）の構成を示す図であり、図３はデータベース（ＤＢ）に構築された出品情報テーブルのデータ構成を示し、図４は出品店出品状況テーブルのデータ構成を示し、図５は出品台数テーブルのデータ構成を示す。
【００２８】
出品情報テーブルは取得した車輌の出品番号に対応して、当該車輌の年式、メーカ、車種、スタート価格、希望価格、車輌番号、及び出品店番号の情報を登録するエリアで構成され、各エリアに対応する情報が登録される。尚、図３に示す情報は一例であり、上記出品情報テーブルに登録される情報の中で、出品店番号の情報は前述の撮影スタジオ１内の入力装置１４によって入力される情報であり、出品番号は後述する出品番号登録制御部２０の処理によって取得する情報である。
【００２９】
また、出品情報テーブルに登録される情報の中で、年式、メーカ、車種、スタート価格、希望価格、及び車輌番号の情報は、上記撮影スタジオ１内の入力装置１４によって入力される情報ではなく、上記撮影後、例えば後日不図示の入力装置によって入力される情報である。
【００３０】
図４に示す出品店出品状況テーブルは、出品店番号に対応した出品状況、及び出品レーンを登録するエリアを有する。出品状況を登録するエリアには“あり”又は“なし”の情報が登録され、例えば初期値は“なし”に設定されており、少なくとも１回車輌を出品すると、当該車輌を出品した出品店の出品店番号のエリアには“あり”が登録される。また、出品レーンを登録するエリアには対応する出品店が使用するレーン番号が登録され、例えば初期値は“なし”に設定されており、少なくとも１回車輌を出品すると当該車輌を出品したレーン番号が登録される。尚、同図に示す情報は一例である。
【００３１】
図５に示す出品台数テーブルは、各レーンの出品台数を登録するエリアを有し、レーン番号に対応するエリアに当該レーンに出品された車輌台数の情報が登録される。尚、同図に示す情報も一例である。
【００３２】
以上の構成において、以下に本例の処理を説明する。
図６は本例の処理を説明するフローチャートである。先ず、撮影スタジオ１の前には、前述のように車両５が多数並べられており、撮影スタジオ１内に順次１台ずつ搬入され、カメラ６によって出品車両の撮影が行なわれる。
【００３３】
カメラ６による出品車両の撮影は、先ずカメラ６ａの調整を行い、例えば前方から出品車両の撮影を行う（ステップ（以下、Ｓで示す）１）。同様に、カメラ６ｂの調整を行い、側方から出品車両の撮影を行い（Ｓ２）、更にカメラ６ｃの調整を行い、後方から出品車両の撮影を行う（Ｓ３）。
【００３４】
次に、入力装置１４のキーボードを操作し、出品車両の出品店の情報を入力し、出品番号登録処理を行なう（Ｓ４）。
【００３５】
図７は上記出品番号登録処理を具体的に説明するフローチャートである。先ず、出品車両の出品店の情報を入力する（ステップ（以下、ＳＴで示す）１）。この情報の入力は、上記入力装置１４のキーボードを操作し、カメラ６によって出品車両の撮影が行なわれている車輌の出品店情報を入力する。
【００３６】
この情報は出品番号登録制御部２０に入力し、出品番号登録制御部２０では、先ず当該出品店は既に入力済みであるか判断する（ＳＴ２）。最初のこの判断では、出品店の入力は始めてであり（ＳＴ２がＮＯ）、予め“０”に初期設定されたレーン番号を＋１する（ＳＴ３）。
【００３７】
次に、レーン番号が“１１”より小さいか判断する（ＳＴ４）。上記のように、最初の判断では、レーン番号は“１”であり、判断（ＳＴ４）はＹＥＳである。したがって、該当レーンであるレーン１の出品番号を取得し、データベース（ＤＢ）に登録する（ＳＴ５）。その後、該当レーンを出品済みとする（ＳＴ６）。
【００３８】
図８乃至図１０は、上記出品情報テーブル、出品店出品状況テーブル、及び出品台数テーブルに登録されるデータの推移を示す図である。尚、出品情報テーブルについては、出品番号、車輌番号、及び出品店番号のみを示し、前述の年式やメーカ、車種等の情報は省略している。
【００３９】
先ず、上記最初の出品車両の入力処理によって、図８（ａ）に示す情報が登録される。具体的には、上記処理によって、出品情報テーブルのレーン１の最初の出品番号「１」が取得され、対応する車輌番号のエリアに「００１」が登録され、出品店のエリアに出品店番号「００００１」が登録される。また、出品店出品状況テーブルの出品状況のエリアに“あり”が登録され、出品レーンのエリアにレーン１を示す“１”が登録される。
【００４０】
尚、この時点では、レーン２〜レーン１０の各エリアは空き状態である。また、上記データベース（ＤＢ）へのデータの登録処理と同時に、対応する出品車輌の画像データが前述のファイルサーバ３の車輌画像ファイルに登録される（Ｓ５）。この画像データの登録処理も、上記出品番号登録処理によって取得した出品番号「１」にリンクするエリアに登録される。
【００４１】
次に、２台目の出品車両が撮影スタジオ１に搬入されると、前述と同様カメラ６ａ〜６ｃによって、前方、側方、後方から出品車両の撮影が行われ（Ｓ１〜Ｓ３）、更に入力装置１４から入力した出品車両の出品店情報に基づいて出品番号登録処理が行なわれる（Ｓ４）。すなわち、出品車両の出品店の情報入力（ＳＴ１）に基づいて、当該出品店からの車輌が既に出品済みであるか判断する（ＳＴ２）。
【００４２】
ここで、例えば２番目に入力した出品車両も上記と同じ、出品店（出品店番号「００００１」）の車両である場合、当該出品店は登録済みであり、判断（ＳＴ２）がＹＥＳとなる。この判断は、図８（ａ）の出品店出品状況テーブルの出品状況に“あり”の設定が行なわれており、この情報を参照することによって、同じ出品店の車輌が既に登録されていることが分かる。したがって、該当レーンであるレーン１の次の出品番号を取得し、データベース（ＤＢ）に登録する（ＳＴ７）。
【００４３】
上記処理によって、図８（ｂ）の出品情報テーブルの出品番号「１１」が取得され、対応する車輌番号のエリアに「００２」が登録され、出品店のエリアに出品店番号「００００１」が登録される。また、上記データベース（ＤＢ）へのデータの登録処理と同時に、対応する出品車輌の画像データがファイルサーバ３の車輌画像ファイルに登録される（Ｓ５）。
【００４４】
尚、図８（ｂ）には、以後同じ出品店からの出品車両が更に６台続く場合の例を示す。すなわち、８台目まで同じ出品店（出品店番号「００００１」）からの出品車両が撮影スタジオ１に搬入され、カメラ６ａ〜６ｃによって出品車両の撮影が行われ（Ｓ１〜Ｓ３）、出品店の入力情報に基づいて出品番号登録処理が順次行なわれる（Ｓ４）。したがって、図８（ｂ）のレーン１の出品番号「２１」、「３１」、・・「７１」が順次取得され、出品番号「２１」に対応する車輌番号のエリアには「００２」が登録され、出品番号「３１」に対応する車輌番号のエリアには「００３」が登録され、・・、出品番号「７１」に対応する車輌番号のエリアには「００８」が登録される。尚、出品店のエリアについては、同じ出品店番号「００００１」が登録される。また、出品台数テーブルには、レーン１の出品台数が８台であることを示す“８”の登録が行なわれる。
【００４５】
次に、９台目の出品車両が撮影スタジオ１に搬入されると、前述と同様カメラ６ａ〜６ｃによって出品車両の撮影が行われ（Ｓ１〜Ｓ３）、当該車輌の出品店の入力情報に基づいて出品番号登録処理が行なわれる（Ｓ４）。ここで、例えば９番目に入力した出品車両が新たな出品店からの出品車両である場合、未だ出品店の登録は行われておらず、判断（ＳＴ２）がＮＯとなる。したがって、この場合レーン番号を＋１し（ＳＴ３）、レーン番号が“１１”より小さいか判断する（ＳＴ４）。この時レーン番号は“２”であり、判断（ＳＴ４）はＹＥＳであり、該当レーンであるレーン２の最初の出品番号を取得し、データベース（ＤＢ）に登録する（ＳＴ５）。その後、該当レーンを出品済みとする（ＳＴ６）。
【００４６】
上記出品車両の入力処理によって図８（ｃ）に示す情報が登録される。具体的には、出品情報テーブルにおいて、レーン２の出品番号「２」が取得され、対応する車輌番号のエリアに「００９」が登録され、出品店のエリアに新たな出品店番号「００００２」が登録される。また、出品店出品状況テーブルの出品レーンのエリアにレーン２を示す“２”が登録され、対応する出品状況のエリアに“あり”が登録される。
【００４７】
次に、１０台目の出品車両が撮影スタジオ１に搬入されると、前述と同様カメラ６ａ〜６ｃによって出品車両の撮影が行われ（Ｓ１〜Ｓ３）、更に当該車輌の出品店の入力情報に基づいて出品番号登録処理が行なわれる（Ｓ４）。ここで、例えば１０番目に入力した出品車両も、同じ出品店（店番号「００００２」）からの車両である場合、当該出品店は登録済みであり、判断（ＳＴ２）がＹＥＳとなる。この判断も、前述の出品店出品状況テーブルのレーン２の出品状況のエリアに登録された“あり”の情報を参照して判断し、該当レーンであるレーン２の次の出品番号を取得し、データベース（ＤＢ）に登録する（ＳＴ７）。
【００４８】
上記処理によって、図８（ｄ）に示すレーン２の出品番号「１２」が取得され、対応する車輌番号のエリアに「０１０」が登録され、出品店のエリアに出品店番号「００００２」が登録される。尚、図８（ｄ）には、以後同じ出品店からの出品車両が更に２台続く場合を示している。
【００４９】
すなわち、１２台目まで同じ出品店（出品店番号「００００２」）からの出品車両が撮影スタジオ１に搬入され、カメラ６ａ〜６ｃによって出品車両の撮影が行われ（Ｓ１〜Ｓ３）、出品番号登録処理が行なわれる（Ｓ４）。すなわち、図８（ｄ）に示すレーン２の出品番号「２２」、「３２」が順次取得され、出品番号「２２」に対応する車輌番号のエリアに「０１１」が登録され、出品番号「３２」に対応する車輌番号のエリアに「０１２」が登録される。尚、出品店のエリアについては、同じ出品店番号「００００２」が登録される。また、レーン２の出品台数が４台であることを示す“４”が出品台数テーブルのレーン２のエリアに登録される。
【００５０】
以後上記と同じ処理を行い、例えば１３番目の出品車両が新たな出品店からの車両である場合、レーン３に新たな出品店からの車両情報を登録する。図８（ｅ）はこの場合の出品情報テーブル等の例を示し、レーン３の最初の出品番号「３」が取得され、対応する車輌番号のエリアに「０１３」が登録され、出品店のエリアに新たな出品店番号「００００３」が登録される。また、出品店出品状態テーブルの出品状態に“あり”の登録が行なわれ、出品レーンのエリアに“３”が登録される。また、出品台数テーブルのレーン３のエリアに“１”が登録される。
【００５１】
また、次の１４番目の出品車両が、更に新たな出品店からの車両である場合、レーン４に新たな出品店からの車両情報が登録される。この場合、図８（ｆ）に示すように、出品情報テーブルのレーン４の出品番号「４」が取得され、対応する車輌番号のエリアに「０１４」が登録され、出品店のエリアに新たな出品店番号「００００４」が登録される。また、出品店出品状態テーブルの出品状態に“あり”の登録が行なわれ、出品レーンのエリアに“４”が登録される。また、出品台数テーブルのレーン４のエリアに“１”が登録される。
【００５２】
以後上記処理を繰り返し、１５番目の出品車両が、更に新たな出品店からの車両である場合、出品情報テーブル、出品店出品状態テーブル、出品台数テーブルには、図８（ｇ）に示すデータが登録され、１６番目〜１８番目の出品車両が、上記と同じ出品店（出品店番号「００００５」）からの車両である場合、出品情報テーブル、出品店出品状態テーブル、出品台数テーブルには、図８（ｈ）に示すデータが登録される。
【００５３】
さらに、図９（ａ）は１９番目に新たな出品店（出品店番号「００００６」）からの出品車両が搬入された場合の例を示し、図９（ｂ）は２０番目〜２２番目に同じ出品店（出品店番号「００００６」）から出品車両が続く場合の例を示す。また、図９（ｃ）は２３番目に新たな出品店（出品店番号「００００７」）から出品車両が搬入された場合の例を示し、図９（ｄ）は２４番目〜３０番目に同じ出品店（出品店番号「００００７」）から出品車両が続く場合の例を示す。また、図９（ｅ）は３１番目に新たな出品店（出品店番号「００００８」）から出品車両が搬入された場合の例を示し、図９（ｆ）は３２番目に新たな出品店（出品店番号「００００９」）から出品車両が搬入された場合の例を示す。
【００５４】
さらに、図９（ｇ）は３３番目に新たな出品店（出品店番号「０００１０」）から出品車両が搬入された場合の例を示し、図９（ｈ）は３４番目〜４０番目に同じ出品店（出品店番号「０００１０」）から出品車両が搬入された場合の例を示す。
【００５５】
次に、図９（ｉ）は４１番目に新たな出品店（出品店番号「０００１１」）から出品車両が搬入された場合の例を示し、この場合新たな出品店であり（ＳＴ２がＮＯ）、レーン番号を＋１すると（ＳＴ３）、レーン番号は“１１”となる。したがって、この場合判断（ＳＴ４）はＮＯとなり、出品数の少ないレーンの選択処理を行い（ＳＴ８）、該当するレーンの出品番号を取得し、登録処理を行なう（ＳＴ９）。
【００５６】
この処理は出品台数テーブルを参照して行い、出品台数テーブルに登録されたレーンの中で出品数の最も少ないレーンを選択し、出品番号を取得する。具体的には、図９（ｈ）の出品台数テーブルを参照し、例えばレーン３の出品台数が“１”であり、出品台数テーブルに登録されたレーンの中で最も少ない出品数のレーンの１つであり、レーン３の出品番号「１３」を取得する。したがって、図９（ｉ）に示すように、レーン３の出品番号「１３」に対応する車輌番号のエリアに「０４１」が登録され、出品店のエリアに新たな出品店番号「０００１１」が登録される。
【００５７】
また、該当出品店（出品店番号「０００１１」）を出品済みとすることによって（ＳＴ１０）、出品店出品状況テーブルの対応する出品状況のエリアに“あり”が登録され、以後同じ出品店（出品店番号「０００１１」）から車輌が出品された場合、判断（ＳＴ２）がＹＥＳとなり、レーン３から出品番号を取得する。図９（ｊ）はこの場合の例であり、４２番目〜４８番目までの出品車輌が同じ出品店（出品店番号「０００１１」）からの場合の登録例である。
【００５８】
図１０は、以後同様に処理を繰り返した場合の出品情報テーブル等へのデータ登録の例を示すものである。例えば、図１０（ａ）は４９番目に出品された車輌が新たな出品店（出品店番号「０００１２」）の場合であり、例えばレーン４の出品台数が“１”であり、出品台数テーブルに登録されたレーンの中で最も少ない出品数のレーンの１つであり、レーン４から出品番号を取得し、データベース（ＤＢ）への登録処理を行なう。
【００５９】
また、同図（ｂ）は５０番目〜５７番目に出品された車輌が上記と同じ出品店（出品店番号「０００１２」）の場合であり、同図（ｃ）は５７番目〜６０番目に出品された車輌が以前登録処理を行なった出品店（出品店番号「００００２」）からの出品であり、同図（ｄ）は６１番目、６２番目に出品された車輌が以前登録処理を行なった出品店（出品店番号「００００５」）からの出品であり、同図（ｅ）は６３番目〜６６番目に出品された車輌が以前登録処理を行なった出品店（出品店番号「００００６」）からの出品であり、同図（ｆ）は６７番目〜６８番目に出品された車輌が以前登録処理を行なった出品店（出品店番号「００００５」）からの出品であり、同図（ｇ）は６９番目に出品された車輌が新たな出品店（出品店番号「０００１３」）の場合であり、同図（ｈ）は７０番目に出品された車輌が新たな出品店（出品店番号「０００１４」）の場合であり、対応する図１０（ａ）〜（ｈ）に示すデータがデータベース（ＤＢ）に登録される。
【００６０】
以上のように処理することによって、少なくとも１度出品された車輌の出品店から出品される以後の出品車輌は同じレーンによってせりが行なわれ、同じ出品店から出品された車輌が複数のレーンによってせりが行なわれることはない。
【００６１】
すなわち、上記処理によってレーン１〜レーン１０に登録された車輌のせりを行う際、各レーンには登録された車輌が順次表示され、各レーンにおいてせりが実行される。この場合、前述の図８乃至図１０に示すように、出品店（出品店番号「００００１」）から出品された車輌はレーン１のみでせりが行われ、出品店（出品店番号「００００２」）から出品された車輌はレーン２のみでせりが行われ、出品店（出品店番号「００００３」）及び（出品店番号「０００１１」）から出品された車輌はレーン３のみでせりが行われ、以下図８乃至図１０に示す通りである。
【００６２】
したがって、同じ出品店から出品された車輌は同一のレーンのみによってせりが行なわれ、例え出品店の担当者が一人あっても、他のレーンのせりに関係なく、せりを進行することができる。したがって、例えばあるレーンの出品車両が落札されるまで、他のレーンのせりを開始できない問題も解決し、少ない人数の担当者で効率よくせりを行なうことができ、せりのトータル時間も短縮することができる。
【００６３】
また、車輌の出品店がせり会場４に設定されたレーン数を超える場合、使用するレーンの中で最も登録台数の少ないレーンを選択して新たな出品店からの車輌の登録を行うので、レーン間において、出品車輌の台数が自動的に平均化し、更に効率よくせりを行なうことができる。
【００６４】
尚、上記本実施形態において使用した図８乃至図１０に示す出品情報テーブル等のテーブルに記載した出品番号や出品店等のデータは一例であり、上記数値に限定されるものではない。また、撮影スタジオ１において使用するカメラ６も３台に限定されるものではなく、１台でもよく、又４台以上使用してもよい。
【符号の説明】
【００６５】
１      撮影スタジオ
２      データベースサーバ
３      ファイルサーバ
４      せり会場
５      出品車両
６、６ａ、６ｂ、６ｃ      カメラ
７      撮像端末
８−１〜８−１０      調整人操作端末
９−１〜９−１０      画像表示装置
１０      せり制御装置
１１      管理用端末
１２−１〜１２−ｎ      応札端末
１４      入力装置
１５      表示装置
１７      カメラ制御部
１８      入力制御部
１９      画像登録制御部
２０      出品番号登録制御部
２１      表示制御部
２２      通信制御部
ＤＢ      データベース
【図１】
0005681145.tif 000002
【図２】
0005681145.tif 000003
【図３】
0005681145.tif 000004
【図４】
0005681145.tif 000005
【図５】
0005681145.tif 000006
【図６】
0005681145.tif 000007
【図７】
0005681145.tif 000008
【図８】
0005681145.tif 000009
【図９】
0005681145.tif 000010
【図１０】
0005681145.tif 000011
【図１１】
0005681145.tif 000012